【手続補正書】
【提出日】平成29年1月5日(2017.1.5)
【手続補正１】
【補正対象書類名】特許請求の範囲
【補正対象項目名】全文
【補正方法】変更
【補正の内容】
【特許請求の範囲】
【請求項１】
複数の撮像装置から無線通信を介して接続され、前記複数の撮像装置の各々と通信を行うことと、
前記通信に基づいて、前記複数の撮像装置の各々に対応する画像の各々を特定することと、
特定される前記画像の各々を一覧表示することと、
を含む制御方法。
【請求項２】
一覧表示状態における前記撮像装置に係るイベントの発生に基づいて、一覧表示される前記画像に対応する前記撮像装置に係る動作制御を行うことをさらに含む、請求項１に記載の制御方法。
【請求項３】
前記イベントは、前記撮像装置に向けてのユーザ操作を含み、
一覧表示される前記画像の各々に対応する前記撮像装置の各々について、一覧表示状態において行われる前記ユーザ操作に基づく動作制御を行うことをさらに含む、請求項２に記載の制御方法。
【請求項４】
前記ユーザ操作に基づく動作制御は、前記撮像装置への動作指示の制御を含む、請求項３に記載の制御方法。
【請求項５】
前記動作指示は、前記撮像装置への画像の記録に係る指示を含み、
表示される画像の各々に対応する前記撮像装置の各々の動作状態に基づいて指示内容を決定することをさらに含む、請求項４に記載の制御方法。
【請求項６】
一覧表示状態において、前記画像の記録に係る指示に基づいて行われる前記撮像装置の記録の結果についてユーザへの確認表示を行わないことをさらに含む、請求項５に記載の制御方法。
【請求項７】
前記動作指示は、前記撮像装置への設定に係る指示を含み、
表示される画像の各々に対応する前記撮像装置の各々の間で共通する設定に基づいて指示内容を決定することをさらに含む、請求項４に記載の制御方法。
【請求項８】
前記イベントは、前記撮像装置の状態変化を含み、
一覧表示される前記画像の各々に対応する前記撮像装置の各々の状態変化を示す表示制御を行うことをさらに含む、請求項２〜７のいずれか１項に記載の制御方法。
【請求項９】
前記撮像装置の状態変化は、前記撮像装置の通信状態の変化を含む、請求項８に記載の制御方法。
【請求項１０】
前記撮像装置の通信状態の変化は、前記撮像装置の通信接続の有無の変化を含み、
前記通信接続の有無が変化した前記撮像装置に係る画像の表示を制御することをさらに含む、請求項９に記載の制御方法。
【請求項１１】
前記撮像装置の状態変化は、前記撮像装置における異常の発生を含む、請求項８〜１０のいずれか１項に記載の制御方法。
【請求項１２】
前記異常は、継続的に発生する第１の異常を含み、
前記第１の異常の発生を示すオブジェクトを表示することをさらに含む、請求項１１に記載の制御方法。
【請求項１３】
前記第１の異常の発生を示すオブジェクトを前記第１の異常が発生した前記撮像装置に対応する画像に関連して表示することをさらに含む、請求項１２に記載の制御方法。
【請求項１４】
前記異常は、単発的に発生する第２の異常を含み、
所定の時間の経過によって消去される、前記第２の異常の発生を示すオブジェクトを表示することをさらに含む、請求項１１〜１３のいずれか１項に記載の制御方法。
【請求項１５】
一覧表示される前記画像の各々と前記撮像装置の各々との対応関係を示すオブジェクトを前記画像の各々に関連して表示することをさらに含む、請求項１〜１４のいずれか１項に記載の制御方法。
【請求項１６】
前記画像の各々のうちの１つを単独表示することと、
前記画像の一覧表示および単独表示のいずれかに表示を切り替えることと、
をさらに含む、請求項１〜１５のいずれか１項に記載の制御方法。
【請求項１７】
単独表示される前記画像に対応する前記撮像装置についてのみ、単独表示状態において前記撮像装置に向けて行われるユーザ操作に基づく動作制御を行うことをさらに含む、請求項１６に記載の制御方法。
【請求項１８】
単独表示状態において、単独表示される前記画像に対応する前記撮像装置以外の撮像装置の状態変化を示す表示制御を行うことをさらに含む、請求項１６又は１７に記載の制御方法。
【請求項１９】
複数の撮像装置から無線通信を介して接続され、前記複数の撮像装置の各々と通信を行う通信部と、
前記通信に基づいて、前記複数の撮像装置の各々に対応する画像の各々を特定し、特定される前記画像の各々を一覧表示する制御部と、
を備える制御装置。
【請求項２０】
複数の撮像装置から無線通信を介して接続され、前記複数の撮像装置の各々と通信を行う通信機能と、
前記通信に基づいて、前記複数の撮像装置の各々に対応する画像の各々を特定し、特定される前記画像の各々を一覧表示する制御機能と、
をコンピュータに実現させるためのプログラム。
【手続補正２】
【補正対象書類名】明細書
【補正対象項目名】００２７
【補正方法】変更
【補正の内容】
【００２７】
操作検出部２０２は、撮像装置２００に対するユーザ操作を入力に変換する。具体的には、操作検出部２０２は、ユーザによる操作に応じた入力情報を生成し、生成される入力情報を制御部２０４に提供する。例えば、操作検出部２０２は、撮像装置２００が別途に備える、ボタン式、タッチパッド式または表示部と一体化されたタッチパネル式の入力装置等に対するユーザ操作を検出する。
【手続補正３】
【補正対象書類名】明細書
【補正対象項目名】００６０
【補正方法】変更
【補正の内容】
【００６０】
例えば、制御部１０４は、マルチ接続設定画面５２において図４の上段の右図に示したような「設定」という表示へのタップ操作が行われると、既にマルチ接続設定が登録されている場合、図４の下段の左図に示したような新規登録を行うかの確認画面５４を表示部１０８に表示させる。そして、制御部１０４は、当該確認画面５４において「設定」という表示へのタップ操作が行われると、図４の下段の中図に示したようなマルチ接続設定情報の入力画面５６を表示部１０８に表示させる。例えば、入力画面５６には、ＳＳＩＤおよびＰＷ（Pass  Word）の入力フォーム、ならびに認証方式の選択用プルダウンリスト等が表示され得る。そして、制御部１０４は、当該入力画面５６において「設定」という表示へのタップ操作が行われると、マルチ接続設定の完了通知画面５８を表示部１０８に表示させる。
【手続補正４】
【補正対象書類名】明細書
【補正対象項目名】００７２
【補正方法】変更
【補正の内容】
【００７２】
例えば、制御部２０４は、撮像装置２００の設定が選択されると、図７の左図に示したように撮像装置２００が別途備える表示部に撮像装置２００の設定が選択されている旨を表示させ、さらに通信接続の設定が選択されると、図７の中左図に示したように表示部に通信方式を表示させる。次いで、制御部２０４は、通信モードが選択されると、図７の中右図に示したように選択されている通信モードを表示部に表示させる。なお、制御部２０４は、制御装置１００−１との接続が、試行中である、または完了している場合、表示部に表示される通信モードを強調表示、例えば点滅させ得る。
【手続補正５】
【補正対象書類名】明細書
【補正対象項目名】００８９
【補正方法】変更
【補正の内容】
【００８９】
また、図１２Ｃでは、図１２Ａおよび図１２Ｂに示した画面と画面の向きが異なる。例えば、図１２Ｃでは、画面の基準となる方向が垂直方向である。そのため、表示セットの表示領域の並びが垂直方向となっている。ここで、表示セットの表示領域の水平方向に空きがある場合、当該表示セットの表示領域は水平方向に広げられてもよい。例えば、表示セットの表示領域は、縦横比が１６：９となるまで広げられ得る。
【手続補正６】
【補正対象書類名】明細書
【補正対象項目名】０１８１
【補正方法】変更
【補正の内容】
【０１８１】
（単発エラーの発生に基づく表示制御）
また、制御部１０４は、第２の異常としての、単発的に発生する単発エラーの発生を示すオブジェクトを表示部１０８に表示させてもよい。例えば、単発エラーは、撮像装置２００における動作の失敗、または対応していない動作の指示の受信等であり得る。図３１Ａおよび図３１Ｂならびに図３２を参照して、撮像装置２００における単発エラーの発生に基づく表示制御処理について説明する。図３１Ａおよび図３１Ｂは、本実施形態の変形例に係る制御装置１００−２のシングルビュー画面における単発エラーに係る表示の例を示す図であり、図３２は、本実施形態の変形例に係る制御装置１００−２のマルチビュー画面における単発エラーに係る表示の例を示す図である。なお、継続エラーの処理と実質的に同一である処理については説明を省略する。
【手続補正７】
【補正対象書類名】図面
【補正対象項目名】図３３
【補正方法】変更
【補正の内容】
【図３３】
2016122908.tif 000001